(57)【要約】【課題】ハンガーパイプに吊り下げるように取り付けた場合、大きなスペースを取るといったことをなくして、ハンガーパイプに吊り下げる衣類等のスペースが減るのを防止すると共に、全体の重量的なバランスも良好なものにして、ハンガーパイプに吊り下げるように取り付けたとき、薬剤の放出を効果的に行えるファン式防虫装置を提供する。【解決手段】吸込口１１と放出口１２とを形成し、内部に薬剤を保持する薬剤保持体１３と電池１４により作動する送風機１５とを備えて、送風機１５により薬剤保持体１３に保持した薬剤を放出口１２より放出する左右横長の箱状となる装置本体１と、この装置本体１の上部に装着するハンガーパイプ５に取り付くパイプ取り付け部４とから構成すると共に、装置本体１内に備える薬剤保持体１３と送風機１５とをパイプ取り付け部４が取り付くハンガーパイプ５の垂下線Ａに対して、左右の重量が略均等となるように左右に配置したファン式防虫装置である。【選択図】      図４
2004187632.tif 000002
【特許請求の範囲】
【請求項１】
吸込口１１と放出口１２とを形成し、内部に薬剤を保持する薬剤保持体１３と電池１４により作動する送風機１５とを備えて、送風機１５により薬剤保持体１３に保持した薬剤を放出口１２より放出する左右横長の箱状となる装置本体１と、この装置本体１の上部に装着するハンガーパイプ５に取り付くパイプ取り付け部４とから構成すると共に、装置本体１内に備える薬剤保持体１３と送風機１５とをパイプ取り付け部４が取り付くハンガーパイプ５の垂下線Ａに対して、左右の重量が略均等となるように左右に配置したことを特徴とするファン式防虫装置。
【請求項２】
装置本体１内に送風機１５を作動するための電池１４を収納する電池収納部１６を備えて、この電池収納部１６をハンガーパイプ５の垂下線Ａの略線上に配置したことを特徴とする請求項１記載のファン式防虫装置。
【請求項３】
装置本体１に形成する吸込口１１を装置本体１の前後面の一方に形成すると共に、この吸込口１１を反平面状に形成したことを特徴とする請求項１又は請求項２記載のファン式防虫装置。
【請求項４】
装置本体１に形成する吸込口１１を装置本体１の前後面の一方に形成すると共に、この吸込口１１の近傍に側面より飛び出すようになる突出部２３を形成したことを特徴とする請求項１又は請求項２記載のファン式防虫装置。
【発明の詳細な説明】
【０００１】
【発明の属する技術分野】
本発明は、タンスやクローゼット等の衣類収納空間で使用するファン式防虫装置に関し、特に、害虫防除成分を有する薬剤を保持する薬剤保持体と送風機とを備えた装置本体と、この装置本体の上部に装着し、かつ衣類収納空間におけるハンガーパイプに取り付くパイプ取り付け部とから構成するファン式防虫装置に関する。
【０００２】
【従来の技術】
従来、タンスやクローゼット等の衣類収納空間で使用するファン式防虫装置としては、例えば、特開平１１−３０８９５５号公報に記載されたように、害虫防除成分を有する薬剤を保持する薬剤保持体と送風機とこの送風機を作動するための電池とを内蔵し、送風機の作動により薬剤保持体に保持した害虫防除成分を有する薬剤を放出口より外部に放出することで、タンスやクローゼット等の衣類収納空間に薬剤を行き渡せて、衣類の防虫を行うものが知られていた。
【０００３】
【特許文献１】
特開平１１−３０８９５５号公報
【０００４】
【発明が解決しようとする課題】
かかる従来のファン式防虫装置にあっては、タンスやクローゼット等の衣類収納空間におけるハンガーパイプ近傍に配置することが最も効果的であったが、このファン式防虫装置をハンガーパイプに吊り下げるように取り付けた場合、どうしても厚みがあることから、ある程度のスペースを取ってしまい、強いてはハンガーパイプに吊り下げる衣類等のスペースを減らしてしまうといった問題があった。
【０００５】
また、全体の重量的なバランスも悪いため、ハンガーパイプにファン式防虫装置を吊り下げるように取り付けたとき、薬剤を外部に放出する放出口の向きを効果的な方向に向けることができないといった問題もあった。
【０００６】
本発明は、上記の問題に鑑みなされたものであり、タンスやクローゼット等の衣類収納空間におけるハンガーパイプに吊り下げるように取り付けた場合、大きなスペースを取るといったことをなくして、ハンガーパイプに吊り下げる衣類等のスペースが減るのを防止すると共に、全体の重量的なバランスも良好なものにして、ハンガーパイプに吊り下げるように取り付けたとき、薬剤の放出を効果的に行えるファン式防虫装置を提供することを、その課題とするものである。
【０００７】
【課題を解決するための手段】
第１の発明は、吸込口と放出口とを形成し、内部に薬剤を保持する薬剤保持体と電池により作動する送風機とを備えて、送風機により薬剤保持体に保持した薬剤を放出口より放出する左右横長の箱状となる装置本体と、この装置本体の上部に装着するハンガーパイプに取り付くパイプ取り付け部とから構成すると共に、装置本体内に備える薬剤保持体と送風機とをパイプ取り付け部が取り付くハンガーパイプの垂下線に対して、左右の重量が略均等となるように左右に配置したファン式防虫装置である。
【０００８】
第２の発明は、第１の発明において、装置本体内に送風機を作動するための電池を収納する電池収納部を備えて、この電池収納部をハンガーパイプの垂下線の略線上に配置したファン式防虫装置である。
【０００９】
第３の発明は、第１又は第２の発明において、装置本体に形成する吸込口を装置本体の前後面の一方に形成すると共に、この吸込口を反平面状に形成したファン式防虫装置である。
【００１０】
第４の発明は、第１又は第２の発明において、装置本体に形成する吸込口を装置本体の前後面の一方に形成すると共に、この吸込口の近傍に側面より飛び出すようになる突出部を形成したファン式防虫装置である。
【００１１】
【作    用】
第１の発明によれば、装置本体内に備える薬剤保持体と送風機とをパイプ取り付け部が取り付くハンガーパイプの垂下線に対して、左右の重量が略均等となるように左右に配置したことで、左右方向における全体の重量的なバランスを良いものにして、ハンガーパイプに当該ファン式防虫装置を吊り下げるように取り付けたとき、薬剤を外部に放出する放出口の向きを効果的な方向に向けることができ、良好な薬剤の放出を可能にする。しかも、薬剤保持体と送風機とを左右に分けて配置することで、装置本体の厚みを極力小さくし、すなわち当該ファン式防虫装置を薄くすることができ、ハンガーパイプに吊り下げるように取り付けた場合、当該ファン式防虫装置によって大きなスペースを取るのをなくして、ハンガーパイプに吊り下げる衣類等のスペースが低減するのを防止することができる。
【００１２】
第２の発明によれば、電池を収納する電池収納部をハンガーパイプの垂下線の略線上に配置したことで、左右方向における全体の重量的なバランスを良いものにすることができ、ハンガーパイプに当該ファン式防虫装置を吊り下げるように取り付けたとき、良好な薬剤の放出を可能にする。
【００１３】
第３の発明によれば、装置本体の前後面の一方に形成する空気を装置本体内部に吸込む吸込口を反平面状に形成したことで、当該ファン式防虫装置をハンガーパイプに吊り下げるように取り付けたとき、ハンガーパイプに吊り下がる衣類等がファン式防虫装置に近接しても、吸込口が完全に塞がれることがなく、常に良好に吸込口より空気を吸込むことができる。
【００１４】
第４の発明によれば、装置本体の前後面の一方に形成する空気を装置本体内部に吸込む吸込口の近傍に側面より飛び出すようになる突出部を形成したことで、当該ファン式防虫装置をハンガーパイプに吊り下げるように取り付けたとき、ハンガーパイプに吊り下がる衣類等がファン式防虫装置に近接しても、突出部によって吸込口が完全に塞がれることがなく、常に良好に吸込口より空気を吸込むことができる。
【００１５】
【発明の実施の形態】
本発明によるファン式防虫装置の一実施形態について説明する。
ファン式防虫装置としては、図１、図２及び図３に示すように、左右両端が半円形で左右細長の箱状となる装置本体１を備え、この装置本体１は、一部を開放した前面と後面と上下左右の側面とからなるケース２と、このケース２の前面の開放した部分を塞ぐカバー３とから構成すると共に、カバー３はケース２に対して着脱自在にする。
【００１６】
なお、ケース２とカバー３とからなる装置本体１の前面と、ケース２からなる装置本体１の後面とは共に平面状に形成するのではなく、中央が膨らんだ湾曲状となる反平面状に形成する。
【００１７】
一方、この装置本体１の上部には装置本体１から連続するように形成したパイプ取り付け部４を備える。このパイプ取り付け部４はタンスやクローゼット等の衣類収納空間におけるハンガーパイプ５に吊り下げるように取り付けるためのものである。なお、このパイプ取り付け部４はハンガーパイプ５に取り付けやすいように波型フック状としている。
【００１８】
このように装置本体１とパイプ取り付け部４とからなるファン式防虫装置において、装置本体１には、まず、空気を内部に吸込むための吸込口１１を形成し、この吸込口１１は前面であるカバー３の左側の一端にスリットを半円だけ年輪状に形成したものである。なお、この吸込口１１はカバー３を中央が膨らんだ湾曲状となる反平面状に形成したことにより、この吸込口１１も湾曲状となる反平面状に形成される。また、装置本体１には、空気を外部に放出する放出口１２も形成し、この放出口１２はケース２の右側斜め上部側面に複数のスリットを縦に形成したものである。
【００１９】
そして、図４及び図５に示すように、装置本体１には、内部に害虫防除成分を有する薬剤を保持する薬剤保持体１３と、電池１４により作動する送風機１５と、送風機１５を作動するための電池１４を収納する電池収納部１６をそれぞれ備える。
【００２０】
薬剤保持体１３は、前後面がそれぞれ開口した円形状の容器１７を備え、この容器１７の中に害虫防除成分を有する薬剤を含浸させた粒状の担体１８を収容することで、薬剤を保持する。そして、前後面の開口した箇所から空気の出入りが行われる。
【００２１】
また、送風機１５は、遠心送風機の一種であるシロッコファンと呼ばれる多翼式送風機であり、回転方向に対して多数の幅の細い羽根１９を円筒状に配置したもので、その回転中心にモータ２０を備えて、電池収納部１６に収納した電池１４によって駆動するモータ２０により多数の羽根１９を回転させることで、空気を遠心方向に流す。
【００２２】
そして、これらの薬剤保持体１３と送風機１５とにあっては、パイプ取り付け部４が取り付くハンガーパイプ５の垂下線Ａに対して、左右の重量が略均等となるように左右に配置し、具体的には、左側に薬剤保持体１３を縦に向けて、右側に送風機１５を縦に向けてそれぞれ配置する。
【００２３】
また、電池１４を収納する電池収納部１６にあっては、パイプ取り付け部４が取り付くハンガーパイプ５の垂下線Ａの略線上に配置し、内部に２本の電池１４を縦に向けて並列に収納する。
【００２４】
なお、前述した薬剤保持体１３と電池収納部１６とにあっては、互いに連結しており、装置本体１のカバー３を開けたとき、薬剤保持体１３と電池収納部１６とを装置本体１内より取り外すことができるような構造にしている。
【００２５】
一方、装置本体１の内部においては、内壁２１等を用いて、吸込口１１から放出口１２に向かう空気流路を形成する。この空気流路は、装置本体１のカバー３に形成した吸込口１１から装置本体１の左側に配置した薬剤保持体１３を介して、内壁２１と装置本体１のケース２の後面との間を経て、装置本体１の右側に配置した送風機１５へとつながり、送風機１５から装置本体１のケース２の斜め上部側面に形成した放出口１２に達するようになっている。
【００２６】
このようになることで、送風機１５によって、吸込口１１から空気が吸込まれて、吸込まれた空気が薬剤保持体１３内を通過し、このとき薬剤保持体１３に保持した薬剤が空気と混合し流れる。そして、装置本体１の後ろ側において左側から右側に流れて、送風機１５に達し、この送風機１５内を通過して、放出口１２より薬剤が外部に放出するようになる。
【００２７】
なお、当該ファン式防虫装置にあっては、オンオフのためのスイッチ等は一切なく、その代わりに、所定時間作動したら、所定時間停止して、所定時間後、再び作動するといったようなタイマー方式を採用している。ただし、作動中は点灯するようになるランプ２２をパイプ取り付け部４の付け根付近に備えている。
【００２８】
このように構成したことで、以下のような作用効果を奏する。
第一に、薬剤保持体１３と送風機１５とにおいて、パイプ取り付け部４が取り付くハンガーパイプ５の垂下線Ａに対して、左側に薬剤保持体１３を、右側に送風機１５をそれぞれ配置し、すなわち左右の重量が略均等となるように左右に配置したことで、左右方向における全体の重量的なバランスを良いものにして、ハンガーパイプ５に当該ファン式防虫装置を吊り下げるように取り付けたとき、薬剤を外部に放出する放出口１２の向きを効果的な方向に向けることができ、良好な薬剤の放出を可能にする。
【００２９】
しかも、薬剤保持体１３と送風機１５とを左右に分けて配置することで、装置本体１の厚みを極力小さくし、すなわち当該ファン式防虫装置を薄くすることができ、ハンガーパイプ５に吊り下げるように取り付けた場合、当該ファン式防虫装置によって大きなスペースを取るのをなくして、ハンガーパイプ５に吊り下げる衣類等のスペースが低減するのを防止することができる。
【００３０】
第二に、電池１４を収納する電池収納部１６において、この電池収納部１６をハンガーパイプ５の垂下線Ａの略線上に配置したことで、これによっても、左右方向における全体の重量的なバランスを良いものにすることができ、前述と同様、ハンガーパイプ５に当該ファン式防虫装置を吊り下げるように取り付けたとき、良好な薬剤の放出を可能にする。
【００３１】
第三に、装置本体１の前面であるカバー３に形成する空気を装置本体１内部に吸込む吸込口１１を湾曲状となる反平面状に形成したことで、当該ファン式防虫装置をハンガーパイプ５に吊り下げるように取り付けたとき、ハンガーパイプ５に吊り下がる衣類等がファン式防虫装置に近接しても、吸込口１１が完全に塞がれることがなく、常に良好に吸込口より空気を吸込むことができる。
【００３２】
第四に、ケース２からなる装置本体１の後面を湾曲状となる反平面状に形成したことで、装置本体１の後ろ側に形成する装置本体１の左側の薬剤保持体１３から装置本体１の右側の送風機１５へ達する空気流路を良好に確保することができ、空気をスムーズに流すことができ、強いては薬剤もスムーズに流すことができる。
【００３３】
第五に、薬剤保持体１３と電池収納部１６とにおいて、薬剤保持体１３と電池収納部１６とを互いに連結して、装置本体１のカバー３を開けたとき、装置本体１内より取り外すことができるような構造にしたことで、薬剤保持体１３や電池収納部１６に収納した電池１４を交換する場合、非常に容易に交換作業を行うことができる。
【００３４】
次に、本発明によるファン式防虫装置の実施形態の変形例について説明する。
基本的な構成は前述した実施形態と同様であるが、装置本体１の前面と後面とを中央が膨らんだ湾曲状となる反平面状に形成して、これと共に、吸込口１１も湾曲状となる反平面状に形成していた代わりに、装置本体１の前面と後面とを平面状に形成すると共に、この装置本体１の前面と後面のうち、吸込口１１を形成する一方の面に側面より飛び出すようになる突出部２３を形成し、すなわち吸込口１１の近傍に突出部２３を形成する。
【００３５】
この突出部２３としては、次のようなものである。例えば、図６に示すように、装置本体１の前面であるカバー３とケース２とにわたって横に向かう板状の突出部２３を複数本形成する。あるいは、図７に示すように、装置本体１の前面であるカバー３とケース２とに縦に向かうかまぼこ形の板状の突出部２３を複数本形成する。または、図８に示すように、装置本体１の前面であるカバー３とケース２とにわたって大粒状の突出部２３を複数個形成する。
【００３６】
これらのように装置本体１の前面であるカバー３に形成する空気を装置本体１内部に吸込む吸込口１１の近傍に突出部２３を形成したことで、当該ファン式防虫装置をハンガーパイプ５に吊り下げるように取り付けたとき、ハンガーパイプ５に吊り下がる衣類等がファン式防虫装置に近接しても、突出部２３によって吸込口１１が完全に塞がれることがなく、常に良好に吸込口より空気を吸込むことができるといった作用効果を奏する。
【００３７】
なお、突出部２３の形状にあっては、前述したものに限定されるものではなく、凹凸状のラインを装置本体１の前面と後面である表面に形成するようにしても良い。また、前述したものにあっては、装置本体１の前面と後面である表面を平面状に形成したところに突出部２３を形成するようにしていたが、表面を中央が膨らんだ湾曲状となる反平面状に形成し、この反平面状に形成したところに突出部２３を形成するようにしても良い。
【００３８】
また、本発明にあっては、前述した実施形態に限定されるものではなく、例えば、装置本体１の形状及び装置本体１に形成する吸込口１１や放出口１２の位置等、あるいは薬剤保持体１３の形状や構造、または送風機１５の形状や構造等についても、他の形状や構造等でも良い。
【００３９】
【発明の効果】
本発明によれば、装置本体内に備える薬剤保持体と送風機とをパイプ取り付け部が取り付くハンガーパイプの垂下線に対して、左右の重量が略均等となるように左右に配置したことで、左右方向における全体の重量的なバランスを良いものにして、ハンガーパイプに当該ファン式防虫装置を吊り下げるように取り付けたとき、薬剤を外部に放出する放出口の向きを効果的な方向に向けることができ、良好な薬剤の放出を可能にする。しかも、薬剤保持体と送風機とを左右に分けて配置することで、装置本体の厚みを極力小さくし、すなわち当該ファン式防虫装置を薄くすることができ、ハンガーパイプに吊り下げるように取り付けた場合、当該ファン式防虫装置によって大きなスペースを取るのをなくして、ハンガーパイプに吊り下げる衣類等のスペースが低減するのを防止することができる。
【００４０】
本発明によれば、電池を収納する電池収納部をハンガーパイプの垂下線の略線上に配置したことで、左右方向における全体の重量的なバランスを良いものにすることができ、ハンガーパイプに当該ファン式防虫装置を吊り下げるように取り付けたとき、良好な薬剤の放出を可能にする。
【００４１】
本発明によれば、装置本体の前後面の一方に形成する空気を装置本体内部に吸込む吸込口を反平面状に形成したことで、当該ファン式防虫装置をハンガーパイプに吊り下げるように取り付けたとき、ハンガーパイプに吊り下がる衣類等がファン式防虫装置に近接しても、吸込口が完全に塞がれることがなく、常に良好に吸込口より空気を吸込むことができる。
【００４２】
本発明によれば、装置本体の前後面の一方に形成する空気を装置本体内部に吸込む吸込口の近傍に側面より飛び出すようになる突出部を形成したことで、当該ファン式防虫装置をハンガーパイプに吊り下げるように取り付けたとき、ハンガーパイプに吊り下がる衣類等がファン式防虫装置に近接しても、突出部によって吸込口が完全に塞がれることがなく、常に良好に吸込口より空気を吸込むことができる。
【図面の簡単な説明】
【図１】本発明によるファン式防虫装置の正面図である。
【図２】本発明によるファン式防虫装置の上面図である。
【図３】本発明によるファン式防虫装置の側面図である。
【図４】本発明によるファン式防虫装置の正面断面図である。
【図５】本発明によるファン式防虫装置の上面断面図である。
【図６】本発明によるファン式防虫装置の変形例を説明する斜視図である。
【図７】本発明によるファン式防虫装置の変形例を説明する斜視図である。
【図８】本発明によるファン式防虫装置の変形例を説明する斜視図である。
【符号の説明】
１…装置本体、２…ケース、３…カバー、４…パイプ取り付け部、５…ハンガーパイプ、１１…吸込口、１２…放出口、１３…薬剤保持体、１４…電池、１５…送風機、１６…電池収納部、１７…容器、１８…担体、１９…羽根、２０…モータ、２１…内壁、２２…ランプ、２３…突出部。
【図１】
2004187632.tif 000003
【図２】
2004187632.tif 000004
【図３】
2004187632.tif 000005
【図４】
2004187632.tif 000006
【図５】
2004187632.tif 000007
【図６】
2004187632.tif 000008
【図７】
2004187632.tif 000009
【図８】
2004187632.tif 000010